(57)【特許請求の範囲】
【請求項１】
軸筒本体の把持部に透明な凸部を形成し、該把持部を被覆する把持部材に前記凸部と対応した窓孔部を形成し、把持部材を把持部に窓孔部を把持部の凸部に嵌着させて装着してなる筆記具の軸筒において、前記凸部の天面を、内方に湾曲する湾曲面で形成したことを特徴とする筆記具の軸筒。
【請求項２】
前記凸部の天面の周縁部を、前記把持部材の窓孔部の外縁部で被覆したことを特徴とする請求項１に記載の筆記具の軸筒。
【発明の詳細な説明】
【０００１】
【産業上の利用分野】
本発明は、軸筒本体の把持部に凸部を形成すると共に、把持部を被覆する把持部材に凸部と対応した窓孔部を形成し、把持部材を把持部に窓孔部を把持部の凸部に嵌着させて装着してなる筆記具の軸筒に関する。
【０００２】
【従来の技術】
従来より、筆記具を握りやすくするために、軸筒本体の把持部にシリコンゴムやエラストマー等の弾性樹脂からなる把持部材を被覆した軸筒は良く知られている。また、デザインの向上や把持部材の回転防止等のために、把持部材の窓孔部を軸筒本体に形成した天面が平地状の透明な凸部に嵌着して装着した軸筒も知られている。尚、この様な軸筒においては、窓孔部からボールペンのインキ残量や、シャープペンシルの芯残量を確認できるように軸筒本体を透明な樹脂で形成したものが多く用いられている。
【０００３】
ところで、軸筒本体に形成する凸部は、従来、射出成形時における金型からの抜けを良くするために、通常、凸部の側面を底面に向かうにしたがって拡開する傾斜面としている。図を用いて詳述すると、図５は、従来の軸筒の断面の一部を示す図で、把持部材１０１の窓孔部１０２を軸筒本体２０１の把持部２０２に形成した凸部２０３に嵌着して装着した部分の断面であるが、凸部２０３の天面２０４を平地状とし、側面２０５を底面２０６に向かうにしたがって拡開する傾斜面２０５ａとしてある。軸筒本体２０１の外表面２０７に対する傾斜面２０５ａの傾斜Ｓは、急な勾配で形成してある。
【０００４】
または、図６に示すように、凸部２０３は天面２０４を平地状とし、側面２０５を底面２０６に向かうにしたがって拡開する傾斜面２０５ａの傾斜Ｔを緩やかな勾配で形成してある。
【０００５】
【発明が解決しようとする課題】
したがって、図５に示す凸部２０３は、傾斜Ｓが急な勾配となっているため、天面２０４の端部角Ｓ１がきつくなり、軸筒本体２０１の射出成形において端部角Ｓ１の内面部分で湯の流れＵに乱れが生じ易くなり、その結果として、天面２０４側の内面部分に気泡Ｋが溜まり、軸筒本体２０１が透明樹脂である場合には窓孔部１０２から気泡Ｋが見えて見栄えが悪くなるという問題があった。
【０００６】
また、図６に示す凸部２０３は、傾斜Ｔが緩やかな勾配となっているため、天面２０４の端部角Ｔ１も滑らかになり、湯の流れＶに乱れは生じず、天面４０４の天面２０４側の内面部分に気泡が溜まることはないが、把持部材１０１における窓孔部１０２の外縁部が広範囲に渡り薄肉となり、その結果として、外縁部１０３が透けて見えてしまうという問題があった。
【０００７】
本発明はこうした問題点を解消するために、軸筒本体に形成する透明な凸部の内面部分に溜まった気泡のせいで見栄えが悪くなってしまうことを軽減し、且つ把持部材の窓孔部における外縁部が透けて見えることがない筆記具の軸筒を提供することを目的とする。
【０００８】
【課題を解決するための手段】
次に、前記課題の解決するために案出した本発明の筆記具の軸筒を説明する。「１．軸筒本体の把持部に透明な凸部を形成し、該把持部を被覆する把持部材に前記凸部と対応した窓孔部を形成し、把持部材を把持部に窓孔部を把持部の凸部に嵌着させて装着してなる筆記具の軸筒において、前記凸部の天面を、内方に湾曲する湾曲面で形成したことを特徴とする。
２．前記凸部の天面の周縁部を、前記把持部材の窓孔部の外縁部で被覆したことを特徴とする。」
【０００９】
本発明において、凸部の天面を内方に湾曲する湾曲面で形成するのは、天面を曲面とすることにより、気泡を天面の周縁部に集中して溜まめて、窓孔部から凸部を見た時に気泡を目立ちにくくするためである。
【００１０】
さらに、把持部材の窓孔部の外縁部で凸部の天面の周縁部を被覆するのは、把持部材の窓孔部の外縁部で天面の周縁部に溜まった気泡を掩蔽して、気泡を見えなくするためである。
【００１１】
【発明の実施の形態】
次に、本発明を理解し易くするために図を用いて説明を行なう。尚、本実施の形態では、筆記具の軸筒としてボールペンの軸筒を用いて説明を行なうが、本発明はボールペンの軸筒に限定されるものではなく、シャープペンシルやサインペン等の種種の筆記具の軸筒に用いることができる。また、本発明では、ボールペンのチップ側を前方として表現し、その反対側を後方として表現する。尚、同じ部材、同じ箇所を示すものは同じ符号を付してある。
【００１２】
第１の実施の形態の軸筒を図１及び図２を用いて説明する。図１は、ボールペンの側面図である。図１においてボールペンの軸筒１は、透明な樹脂からなる軸筒本体２の把持部３に、弾性樹脂からなる把持部材４を被覆し、軸筒本体２の前方に先窄み部５を形成している。また、先窄み部５の先端開口(図示せず)からは、軸筒本体２の内部に収容したレフィル６のチップ部６ａを、軸筒本体２の後方に配設したノック部７のノック体７ａを押圧操作することにより出没可能としている。尚、ノック部７の側面にはクリップ７ｂを形成している。
【００１３】
図２は、図１のＡ−Ａ線の要部断面図であるが、図２に示すように、軸筒本体２の把持部３には、天面８ａが内方に湾曲した湾曲面８ｂで形成した透明な凸部８を形成しており、把持部材４には凸部８に対応した窓孔部４ａを形成し、把持部材４を把持部３に窓孔部４ａを把持部３の凸部８に嵌着して装着してある。
【００１４】
また、側面８ｃは天面８ａから底面８ｄに向かうにしたがって拡開するように形成してある。凸部８の形成にあたって射出成形時に発生した気泡Ｋは、天面８ａの周縁部８ｅに溜まる。
【００１５】
第２の実施の形態の軸筒を図３及び図４を用いて説明する。図３は、ボールペンの側面図である。図４は、図３のＢ−Ｂ線の要部断面図である。把持部材４０は、窓孔部４０ａの外縁部４０ｂで凸部８の天面８ａの周縁部８ｅを被覆してある以外は、前述の第１の実施の形態と同様としてあるため説明を省略する。尚、図４に示すように、軸筒本体２の射出成形時に発生した気泡Ｋは、天面８ａの周縁部８ｅに溜まり、その部分を把持部材４０の窓孔部４０ａの外縁部４０ｂで掩蔽している。
【００１６】
【発明の効果】
本発明は以上のような構造なので、気泡が凸部の天面の周縁部に溜まり、目立ちにくくなり、さらに、把持部材の窓孔部の外縁部で凸部の天面の周縁部を被覆することにより、把持部材の窓孔部の外縁部が天面の周縁部に溜まった気泡を掩蔽して、気泡が見えないものとなった。また、本発明の筆記具の軸筒では、凸部の側面の傾斜を緩やかにする必要がないので、把持部材の窓孔部の外縁部が透けてしまうことがなかった。
【図面の簡単な説明】
【図１】  第１の実施の形態の軸筒を使用したボールペンの側面図である。
【図２】  図１のＡ−Ａ線の要部断面図である。
【図３】  第２の実施の形態の軸筒を使用したボールペンの側面図である。
【図４】  図３のＢ−Ｂ線の要部断面図である。
【図５】  従来の軸筒の断面の一部を示す図である。
【図６】  他の従来の軸筒の断面の一部を示す図である。
【符号の説明】
１…ボールペンの軸筒、２…軸筒本体、３…把持部、
４，４０…把持部材、４ａ，４０ａ…窓孔部、４ｂ，４０ｂ…外縁部、
５…先窄み部、
６…レフィル、６ａ…チップ部、７…ノック部、７ａ…ノック体、
８…凸部、８ａ…天面、８ｂ…湾曲面、８ｃ…側面、８ｄ…底面、８ｅ…周縁部。
【図１】
0003891547.tif 000002
【図２】
0003891547.tif 000003
【図３】
0003891547.tif 000004
【図４】
0003891547.tif 000005
【図５】
0003891547.tif 000006
【図６】
0003891547.tif 000007